(57)【要約】【目的】  １種類のジャック金型で一種類のジャックを製造し、一種類のジャックを複数個組み合わせて、いろんな組合せのジャックを作れ、構造が簡単でコストダウンを図れる。【構成】  ジャック１の本体部２の隣接面に係合部３を設け他方の隣接面に被係合部４を設け縦向きにジャックを複数連結するには下側ジャックの本体部の上面側係合部と上側ジャックの本体部の下面側被係合部を係合し上下複数段連結しジャックを複数横向きに連結するには左側ジャックの本体部の右面側の係合部と右側ジャックの本体部の左面側の被係合部を係合し左右複数列連結しジャックの本体部の裏面側にメイン基板まで延び本体部に着脱可能な各端子６ａ、６ｂ、６ｃを取付け最下段のジャックの本体部の下面側の被係合部にメイン基板に両脚部の下端の係合爪７ａが係止する取付部材７の上面の係合部７ｂを係合し複数のジャックが縦又は横に連結した状態で取付部材を介しメイン基板に取付ける。【選択図】  図２
2005259504.tif 000002
【特許請求の範囲】
【請求項１】
本体部の外形が方形の複数のジャックを縦向きに複数段、あるいは横向きに複数列配置して、これらのジャックをメイン基板に取付固定するようにしたジャックのメイン基板への取付構造において、前記ジャックの方形の本体部の隣接する両面に係合部が設けられ、他方の隣接する両面に前記係合部に対応した被係合部が設けられており、縦向きに前記ジャックを複数縦向きに連結して前記メイン基板に取付固定するには、前記下側のジャックの本体部の上面側の係合部と上側のジャックの本体部の下面側の被係合部とを係合して上下複数段連結し、横向きに前記ジャックを複数横向きに連結して前記メイン基板に取付固定するには、左側のジャックの本体部の右面側の係合部と右側のジャックの本体部の左面側の被係合部とを係合して左右複数列連結して、前記ジャックの本体部の裏面側には、前記メイン基板まで延び本体部に着脱可能な各端子が取り付けられ、最も下段のジャックの本体部の下面側の被係合部には、前記メイン基板に両脚部の下端の係合爪が係入係止される取付部材の上面の係合部が係合されて、前記複数のジャックが縦向きあるいは横向きに連結された状態で前記取付部材を介してメイン基板に取付固定され、前記係合部は、前記各ジャックの本体部の上面側と右面側及び前記取付部材の上端側に本体部の両端近傍箇所から突出された内向きＬ字形の係合溝で形成され、前記被係合部は、前記各ジャックの本体部の下面側と左面側の上下方向中央部から外向きに突設された略Ｔ字形の係合突部で形成されていることを特徴とするジャックのメイン基板への取付構造。
【請求項２】
本体部の外形が方形の複数のジャックを縦向きに複数段、あるいは横向きに複数列配置して、これらのジャックをメイン基板に取付固定するようにしたジャックのメイン基板への取付構造において、前記ジャックの方形の本体部の隣接する両面に係合部が設けられ、他方の隣接する両面に前記係合部に対応した被係合部が設けられており、縦向きに前記ジャックを複数縦向きに連結して前記メイン基板に取付固定するには、前記下側のジャックの本体部の上面側の係合部を上側のジャックの本体部の下面側の被係合部を係合して上下複数段連結し、横向きに前記ジャックを複横向きに連結して前記メイン基板に取付固定するには、左側のジャックの本体部の右面側の係合部と右側のジャックの本体部の左面側の被係合部とを係合して左右複数列連結して、前記ジャックの本体部の裏面側には、前記メイン基板まで延び本体部に着脱可能な各端子が取り付けられ、最も下段のジャックの本体部の下面側の被係合部には、前記メイン基板に両脚部の下端の係合爪が係入係止された取付部材の上面の係合部が係合されて、前記複数のジャックが縦向きあるいは横向きに連結された状態で前記取付部材を介してメイン基板に取付固定されるように構成したことを特徴とするジャックのメイン基板への取付構造。
【請求項３】
前記係合部は、前記各ジャックの本体部の下面側と左面側に本体部の両端近傍箇所から突出された内向きＬ字形の係合溝で形成され、前記被係合部は、前記各ジャックの本体部の上面側と右面側及び前記取付部材の上面側の上下方向中央部から外向きに突設された略Ｔ字形の係合突部で形成されていることを特徴とするジャックのメイン基板への取付構造。
【発明の詳細な説明】
【技術分野】
【０００１】
本発明は、本体部の外形が方形の複雑のジャックを縦向きに複数段、あるいは横向きに複数列配置して、これらのジャックをメイン基板に取付固定するようにしたジャックのメイン基板への取付構造に関するものである。
【背景技術】
【０００２】
従来、この種のジャックのメイン基板への取付構造においては、ジャックをその使う用途によって新規の金型を起こす必要があり、コスト高になるという問題があった。
第１の従来技術を図６、図７に示す。これは、図６、図７に示すように、２個の導電キャップ１１３ａを供えた２Ｐ用ピンジャック１１１と４個の導電キャップ１１３ａを供えた４Ｐ用ピンジャック１１２をそれぞれ隣接状態に配設して用途に応じた数のピンジャックを構成する。その連結は、板状金属材を長方形又は四角形に形成し相対向する位置に係合孔を設けてピンジャックを前面から連結するものであった。（例えば、特許文献１参照）。
【０００３】
ところが、これにおいては、２種類のピンジャック１１１、１１２を必要とし、部品点数が多くなり、コスト高になるという問題があった。
【０００４】
第２の従来技術を図８（ａ）（ｂ）（ｃ）に示す。これは、図８（ａ）（ｂ）（ｃ）に示すように、メイン基板２０１上に、上下３箇所に区画されたジャック挿入用開口部２０２ａ、２０２ｂ、２０２ｃを有する縦長のフォルダージャック２０２を下端の係止爪部２０２ｄ、
２０２ｄが係止して立設する。フォルダージャック２０２の裏面に各ジャック２０３Ａ、２０３Ｂ、２０３Ｃの端子２０３ａ、２０３ｂ、２０３ｃを接続する６本の外向きピン２０４を縦並びに設ける。外向きピン２０４にメイン基板２０１のパターンに接続されメイン基板２０１の裏面側で半田付け固定される６本の配線２０５を設けた縦基板２０６を取り付ける。各ジャック２０３Ａ、２０３Ｂ、２０３Ｃには固定爪２０３ｄを前方に向けて突設し、縦基板２０６に各ジャック２０３Ａ、２０３Ｂ、２０３Ｃの固定爪２０３ｄを係入係止する係止用穴２０６ａを複数穿設している。（例えば、特許文献２参照）。
【０００５】
ところが、これにおいては、数種類のフォルダージャック２０２を必要としていて、部品点数が多くなり、コスト高になるという問題があった。
【特許文献１】特開平６−４５７７９号公報
【特許文献２】実用新案登録第３０９５８１０号公報
【発明の開示】
【発明が解決しようとする課題】
【０００６】
本発明は、上記従来の問題に鑑みてなされたものであって、１種類のジャック金型だけで一種類のジャックを製造するだけでよく、この一種類のジャックを複数個組み合わせるだけで、いろんな組合せのジャックを作ることができ、構造が簡単でコストダウンを図ることができるジャックのメイン基板への取付構造を提供することを目的としている。
【課題を解決するための手段】
【０００７】
本発明は、上記課題を解決するために提案されたものであって、請求項１に記載の発明は、本体部の外形が方形の複数のジャックを縦向きに複数段、あるいは横向きに複数列配置して、これらのジャックをメイン基板に取付固定するようにしたジャックのメイン基板への取付構造において、前記ジャックの方形の本体部の隣接する両面に係合部が設けられ、他方の隣接する両面に前記係合部に対応した被係合部が設けられており、縦向きに前記ジャックを複数縦向きに連結して前記メイン基板に取付固定するには、前記下側のジャックの本体部の上面側の係合部と上側のジャックの本体部の下面側の被係合部とを係合して上下複数段連結し、横向きに前記ジャックを複数横向きに連結して前記メイン基板に取付固定するには、左側のジャックの本体部の右面側の係合部と右側のジャックの本体部の左面側の被係合部とを係合して左右複数列連結して、前記ジャックの本体部の裏面側には、前記メイン基板まで延び本体部に着脱可能な各端子が取り付けられ、最も下段のジャックの本体部の下面側の被係合部には、前記メイン基板に両脚部の下端の係合爪が係入係止される取付部材の上面の係合部が係合されて、前記複数のジャックが縦向きあるいは横向きに連結された状態で前記取付部材を介してメイン基板に取付固定され、前記係合部は、前記各ジャックの本体部の上面側と右面側及び前記取付部材の上端側に本体部の両端近傍箇所から突出された内向きＬ字形の係合溝で形成され、前記被係合部は、前記各ジャックの本体部の下面側と左面側の上下方向中央部から外向きに突設された略Ｔ字形の係合突部で形成されていることを特徴としている。
【０００８】
請求項２に記載の発明は、本体部の外形が方形の複数のジャックを縦向きに複数段、あるいは横向きに複数列配置して、これらのジャックをメイン基板に取付固定するようにしたジャックのメイン基板への取付構造において、前記ジャックの方形の本体部の隣接する両面に係合部が設けられ、他方の隣接する両面に前記係合部に対応した被係合部が設けられており、縦向きに前記ジャックを複数縦向きに連結して前記メイン基板に取付固定するには、前記下側のジャックの本体部の上面側の係合部を上側のジャックの本体部の下面側の被係合部を係合して上下複数段連結し、横向きに前記ジャックを複横向きに連結して前記メイン基板に取付固定するには、左側のジャックの本体部の右面側の係合部と右側のジャックの本体部の左面側の被係合部とを係合して左右複数列連結して、前記ジャックの本体部の裏面側には、前記メイン基板まで延び本体部に着脱可能な各端子が取り付けられ、最も下段のジャックの本体部の下面側の被係合部には、前記メイン基板に両脚部の下端の係合爪が係入係止された取付部材の上面の係合部が係合されて、前記複数のジャックが縦向きあるいは横向きに連結された状態で前記取付部材を介してメイン基板に取付固定されるように構成したことを特徴としている。
【０００９】
請求項３に記載の発明は、前記係合部は、前記各ジャックの本体部の下面側と左面側に本体部の両端近傍箇所から突出された内向きＬ字形の係合溝で形成され、前記被係合部は、前記各ジャックの本体部の上面側と右面側及び前記取付部材の上面側の上下方向中央部から外向きに突設された略Ｔ字形の係合突部で形成されていることを特徴としている。
【発明の効果】
【００１０】
請求項１に記載の発明によれば、１種類のジャック金型だけで一種類のジャックを製造するだけでよく、この一種類のジャックを複数個組み合わせるだけで、いろんな組合せのジャックを作ることができ、構造が簡単でコストダウンを図ることができる。また、係合部とこの係合部に係合される被係合部の形状が簡単化され、簡単に各ジャックをいろんな組み付け方で連結することができる。また、係合部と被係合部の形状が簡単なので、組み付けを容易に行うことができる。
【００１１】
請求項２に記載の発明によれば、１種類のジャック金型だけで一種類のジャックを製造するだけでよく、この一種類のジャックを複数個組み合わせるだけで、いろんな組合せのジャックを作ることができ、構造が簡単でコストダウンを図ることができる。
【００１２】
請求項３に記載の発明によれば、係合部とこの係合部に係合する被係合部の形状が簡単化され、簡単に各ジャックをいろんな組み付け方で連結することができる。また、係合部と被係合部の形状が簡単なので、組み付けを容易に行うことができる。
【発明を実施するための最良の形態】
【００１３】
以下、本発明に係るジャックのメイン基板への取付構造の実施の形態について、図を参照しつつ説明する。
【００１４】
図１は本発明に係るジャックのメイン基板への取付構造の実施形態におけるジャックの単体を示す斜視図、図２は複数のジャックを縦向きに連結してメイン基板に取付固定した状態の正面図、図３は図２の状態の裏面図である。
【００１５】
本実施形態のジャックのメイン基板への取付構造におけるジャック１の単体の構造は、図１に示すように、ジャック１の方形の本体部２の隣接する右面と上面に係合部３、３が設けられ、他方の隣接する下面と左面に係合部３、３に対応した被係合部４、４が設けられている。係合部３、３は、各ジャック１の本体部２の上面側と右面側に本体部の両端近傍箇所から突出された内向きＬ字形の係合溝で形成され、被係合部４、４は、各ジャック１の本体部２の下面側と左面側の上下方向中央部から外向きに突設された略Ｔ字形の係合突部で形成されている。
【００１６】
このジャック１を複数縦向きに連結してメイン基板５に取り付けるには、図２、図３に示すように、下側のジャック１の本体部の上面側の係合部３と上側のジャック１の本体部の被係合部４とを係合して上下複数段連結する。ジャック１の本体部２の裏面側には、図３に示すようにメイン基板５まで延び本体部２に着脱可能な各端子６ａ、６ｂ、６ｃが取り付けられる。最も下段のジャックの本体部の下面側の被係合部４には、メイン基板５に両脚部の下端の係合爪７ａが係入係止される取付部材７の上面の内向きＬ字係の係合部７ｂが係合されて、複数のジャック１が縦向きに連結された状態で取付部材７を介してメイン基板５に取付固定される。このとき、各端子６ａ、６ｂ、６ｃはメイン基板５の貫通孔に挿入されるようになっている。
【００１７】
図４は複数のジャックを横向きに連結し、最右よりのジャックの上側に１つのジャックを連結した状態を示す正面図、図５は図４の状態の裏面図である。
【００１８】
ジャック１を複数横向きに連結してメイン基板５に取り付けるには、図４、図５に示すように、左側のジャック１の本体部２の右面側の係合部３と右面側の係合部３と右側のジャック１の本体部２の左面側の被係合部４とを係合して左右複数列連結する。ジャック１の本体部２の本体部２の裏面側には、メイン基板５まで延び本体部に着脱可能な各端子６ｄ、６ｅ、６ｆが取り付けられ、ジャック１の本体部２の下面側の被係合部４には、メイン基板５に両脚部の下端の係合爪が係入係止された取付部材７の上面の内向きＬ字形の係合部７ｂが係合されて、複数のジャック１が横向きに連結された状態で取付部材７を介してメイン基板５に取付固定されている。
【００１９】
更に、右端のジャック１の本体部２の上面側の係合部３に上段のジャック１の本体部２の下面の被係合部４とが係合されて右端部分は上下２段のジャック１の本体部２が配置されている。この上段のジャック１の本体部２の裏面側では、図５に示すように、着脱自在な端子６ｇが取り付けられていて、メイン基板５にこの端子６ｇの下端が挿入されている。
【００２０】
本実施形態によれば、１種類のジャック金型だけで一種類のジャック１を製造するだけでよく、この一種類のジャック１を複数個組み合わせるだけで、いろんな組合せのジャック１を作ることができ、構造が簡単でコストダウンを図ることができる。
【００２１】
尚、係合部３をジャック１の本体部２の隣接する右面と下面に設け、被係合部４をジャック１の本体部２の左面と上面に設けてもよいことは勿論である。また、係合部３と被係合部４の形状として、係合部が各ジャックの本体部の下面側と左面側に本体部の両端近傍箇所から突出された内向きＬ字形の係合溝で形成され、被係合部が、各ジャックの本体部の上面側と右面側及び取付部材の上面側の上下方向中央部から外向きに突設された略Ｔ字形の係合突部で形成されてもよいことは勿論である。また、係合部と被係合部の形状は、上記した実施形態の形状に限らず、蟻溝等の他の形状も含むものである。
【図面の簡単な説明】
【００２２】
【図１】本発明に係るジャックのメイン基板への取付構造の実施形態におけるジャックの単体を示す斜視図である。
【図２】複数のジャックを縦向きに連結してメイン基板に取付固定した状態の正面図である。
【図３】図２の状態の裏面図である。
【図４】複数のジャックを横向きに連結し、最右よりのジャックの上側に１つのジャックを連結した状態を示す正面図である。
【図５】図４の状態の裏面図である。
【図６】従来のピンジャックの連結方法における２Ｐ用ピンジャックを示す斜視図である。
【図７】従来のピンジャックの連結方法における４Ｐ用ピンジャックを示す斜視図である。
【図８】従来のジャックのメイン基板への取付構造を示し（ａ）はその正面図、（ｂ）はその背面図、（ｃ）はそのジャックの挿入状態を示す側面図である。
【符号の説明】
【００２３】
１      ジャック
２      本体部
３      係合部
４      被係合部
５      メイン基板
６ａ    端子
６ｂ    端子
６ｃ    端子
６ｄ    端子
６ｅ    端子
６ｆ    端子
６ｇ    端子
７      取付部材
７ａ    係合爪
７ｂ    係合部
【図１】
2005259504.tif 000003
【図２】
2005259504.tif 000004
【図３】
2005259504.tif 000005
【図４】
2005259504.tif 000006
【図５】
2005259504.tif 000007
【図６】
2005259504.tif 000008
【図７】
2005259504.tif 000009
【図８】
2005259504.tif 000010